【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
電源、
作動構成要素、
記憶装置と処理装置とを備え、信号を設定するために前記作動構成要素によって作動させられるように構成された制御装置であって、前記処理装置は、前記作動構成要素で作動させられると、前記信号を設定するために前記記憶装置に記憶された命令を実行するように自動的に動作する、制御装置、および、
前記設定された信号に基づいて、選択された組織に電流を送るように構成された電極
を有する電子機器組立体と、
少なくとも前記電子機器組立体を内蔵するように構成された筐体と
を備える自己充足型刺激システム。
【請求項２】
前記筐体から延び、前記電極に電気的に接続された細長い部材と、
前記電極に電気的に接続された前記細長い部材に形成された電極接点と
をさらに備える、請求項１に記載のシステム。
【請求項３】
前記電極接点は、選択された幾何学的形状を前記細長い部材の末端に有する、請求項２に記載のシステム。
【請求項４】
前記細長い部材は柔軟な回路であり、
前記電極接点は、平坦であり、前記柔軟な回路に形成される、請求項２または３に記載のシステム。
【請求項５】
前記電極接点は複数の電極接点を備え、
前記複数の電極接点の各々の電極接点は、前記柔軟な回路において、前記複数の電極接点の互いの電極接点から絶縁されている、請求項２から４のいずれか一項に記載のシステム。
【請求項６】
前記制御装置は、前記複数の電極接点の各々の電極接点を個別に電力供給と電力切断との間で切り替えるために前記命令を実行するようにさらに構成される、請求項５に記載のシステム。
【請求項７】
前記筐体に形成された電極接点をさらに備え、
前記電極接点は神経に接触するように構成され、
前記筐体は、大きさおよび形を含め、前記電極接点で前記神経を刺激させるために前記神経に近接して配置されるようにさらに構成される、請求項１に記載のシステム。
【請求項８】
前記電極接点は、前記筐体の軸の周りに実質的に３６０°にわたって接点を形成するように前記筐体の周りに延びる、請求項７に記載のシステム。
【請求項９】
前記筐体は約１６，０００ｍｍ３の最大容積を有する、請求項１、７、または８のいずれか一項に記載のシステム。
【請求項１０】
前記電子機器組立体は、前記制御装置の作動の視覚的信号を提供するように構成された指示装置をさらに備える、請求項１から９のいずれか一項に記載のシステム。
【請求項１１】
前記筐体と共に形成されたカフ部材をさらに備え、
前記カフ部材は、第２のカフ部分に対して移動可能な第１のカフ部分を備え、
前記第１のカフ部分は第１の非直線的な縁を備え、前記第２のカフ部分は第２の非直線的な縁を備え、
前記第１の非直線的な縁と前記第２の非直線的な縁とは、開放領域内に形成された非直線的な開口を規定するように接し、
前記開放領域は、閉じられたときに前記第１の非直線的な縁と前記第２の非直線的な縁とが接し、前記開口を通じて定められる平面から約５度乃至約２０度の範囲内である、
請求項１に記載のシステム。
【請求項１２】
前記カフ部材によって少なくとも部分的に包囲された領域内へ延びる第１の電極接点をさらに備える、請求項１１に記載のシステム。
【請求項１３】
概して平面に沿って延びる筐体と、
前記筐体と共に形成されたカフ部材と
を備え、
前記カフ部材は、第２のカフ部分に対して移動可能な第１のカフ部分を備え、
前記第１のカフ部分は第１の縁を備え、前記第２のカフ部分は第２の縁を備え、
前記第１の縁と前記第２の縁とは、前記カフ部材が閉じられたときに前記第１の縁と前記第２の縁とが接する前記カフ部材を通って延びる前記平面に対して、約プラス５°〜約プラス２０°から約マイナス５°〜約マイナス２０°までの角度に定められる開放領域において接する、刺激システム。
【請求項１４】
信号を受信するように構成されたモニタと、
神経と接触して配置されるように構成された、前記カフ部材内の電極接点と、
信号を駆動する駆動部と、
前記信号を前記電極接点と前記神経とに送るために前記電極接点から前記駆動部まで延びるリード線と
をさらに備える、請求項１３に記載のシステム。
【請求項１５】
前記第１の縁と前記第２の縁とは、前記第１の縁および前記第２の縁の全長に沿って実質的に完全な接触を可能にする相補的な波形状を有するように構成される、請求項１３または１４に記載のシステム。
【請求項１６】
電源、
信号を送信するために前記作動構成要素によって作動させられるように構成され、記憶装置と、該記憶装置に保存された命令を実行するようになっている処理装置とを備える、制御装置、
前記制御装置を自動的に作動させるようになっている作動構成要素であって、前記処理装置は、前記作動構成要素で自動的に作動されたら、前記記憶装置内に保存された命令を自動的に実行するように作動する、前記作動構成要素、
および、
前記信号を受信すると、選択された組織に電流を送るように構成された電極
を有する電子機器組立体をさらに備え、
前記筐体は、前記電子機器組立体を内蔵するように構成され、
前記筐体は、大きさおよび形を含め、前記電極接点を神経に接触させるために神経に近接して配置されるようにさらに構成される、請求項１３から１５のいずれか一項に記載のシステム。
【請求項１７】
前記第１のカフ部分を移動させるために前記第１のカフ部分に接続されたカフレバーアームをさらに備える、請求項１３から１６のいずれか一項に記載のシステム。
【請求項１８】
前記カフ部材によって少なくとも部分的に包囲された領域内へ延びる電極接点をさらに備え、
前記電極接点は、制御装置によって生成された信号を送るように構成される、請求項１３から１７のいずれか一項に記載のシステム。
【請求項１９】
刺激装置システムを提供する方法であって、
電源と、作動構成要素と、信号を送信するために前記作動構成要素によって作動させられるように構成された制御装置と、前記信号を受信すると選択された組織に電流を送るように構成された電極とを有する電子機器組立体を形成するステップと、
前記電子機器組立体を筐体部分内に収容するステップと、
前記電極に電流を神経へと送らせるために、前記神経に近接して配置される大きさおよび形を有するように前記筐体部分を提供するステップと
を含む方法。
【請求項２０】
前記電子機器組立体を筐体部分内に収容するステップは、前記電子機器組立体の少なくとも一部分をオーバーモールドするステップを含む、請求項１９に記載の方法。
【請求項２１】
前記電子機器組立体の少なくとも一部分をオーバーモールドするステップは、前記電極の少なくとも一部分を、前記筐体を通じて露出された状態に維持するステップを含む、請求項２０に記載の方法。
【請求項２２】
前記電子機器組立体の少なくとも一部分をオーバーモールドするステップは、前記電子機器組立体をオーバーモールドした後に、前記電極への電気的接続を有するために電極接点を型の中に提供するステップを含む、請求項２０に記載の方法。
【請求項２３】
前記作動構成要素で前記電子機器組立体を作動させるステップをさらに含む、請求項１９から２２のいずれか一項に記載の方法。
【請求項２４】
前記電子機器組立体を作動させるステップは、前記作動構成要素を光エネルギーに曝すステップ、前記作動構成要素を導電媒質に曝すステップ、前記電極における抵抗を検出するステップ、前記作動構成要素を形成する機械スイッチを操作するステップ、前記作動構成要素に対して磁石を移動させるステップ、またはそれらの組み合わせのうちの少なくとも１つを含む、請求項２３に記載の方法。
【請求項２５】
電極接点を、前記筐体部分から延びる細長い部材に提供するステップをさらに含み、
前記電極接点は前記電極と電気的に接続している、請求項１９から２４のいずれか一項に記載の方法。
【請求項２６】
筐体と関連したカフ部材と、
前記電極に電気的に接続された細長い部材と、
前記電極に電気的に接続された前記細長い部材に接続された電極接点とを更に備え、
前記筐体は、前記電極接点を神経に接触させるように神経の近くに配置されるような大きさと形状を有するようになっている、請求項１に記載のシステム。
【請求項２７】
電極に電気的に接続された細長い部材と、
電極に電気的に接続された細長い部材に接続された電極接点とを更に備え、
前記筐体は、前記電極接点を神経に接触させるように神経の近くに配置されるような大きさと形状を有するようになっている、請求項１３に記載のシステム。
【請求項２８】
前記筐体部分は患者に配置するための形態を有し、
前記方法が更に、
前記筐体と関連したカフ部材と、前記電極に電気的に接続された細長い部材と、前記電極に電気的に接続された細長い部材に接続された電極接点とを提供するステップと、
前記電極接点を神経に接触させるように神経の近くに配置されるような大きさと形状を有するような前記筐体を提供するステップと、
を更に備える、請求項１９に記載の方法。
【請求項２９】
前記作動構成要素は、制御装置を自動的に作動させるようになっている光学的作動構成要素であり、前記処理装置は、前記光学的作動構成要素で自動的に作動されたら、信号を設定するために前記記憶装置内に保存された命令を実行するように自動的に作動する、請求項１に記載のシステム。
【請求項３０】
前記作動構成要素で前記電子機器組立体を作動させるステップは更に、光学的作動構成要素で前記電子機器組立体を自動的に作動させるステップを含む、請求項２３に記載の方法。